【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
カメラ本体に対して移動可能なストロボ手段を有したカメラにおいて、前記カメラ本体に取り付けられて移動操作が可能な操作部材と、この操作部材の移動に伴って前記ストロボ手段を移動させる駆動手段とを有しており、前記駆動手段は、前記操作部材の操作量に比べて前記ストロボ手段の移動量を大きくするレバー機構を有することを特徴とするカメラ。
【請求項２】
前記駆動手段は、入力端が前記操作部材に連結された第１レバー部材と、入力端が前記第１レバー部材の出力端に連結されるとともに出力端が前記ストロボ手段に連結された第２レバー部材とを有し、前記第２レバー部材の回動中心が、前記第１レバー部材の回動中心と出力端との間に位置することを特徴とする請求項１に記載のカメラ。
【請求項３】
前記第１レバー部材の出力端と前記第２レバー部材の入力端とを弾性部材を介して連結したことを特徴とする請求項１又は２に記載のカメラ。
【請求項４】
前記駆動手段は、前記ストロボ手段が一方の移動端近くに位置するときに前記ストロボ手段を前記一方の移動端側に付勢し、前記ストロボ手段が他方の移動端近くに位置するときに前記ストロボ手段を前記他方の移動端側に付勢する付勢部材を有することを特徴とする請求項１から３のいずれか１つに記載のカメラ。
【請求項５】
前記操作部材が、前記カメラ本体の電源スイッチに連動していることを特徴とする請求項１から４のいずれか１つに記載のカメラ。
【手続補正２】
【補正対象書類名】明細書
【補正対象項目名】０００４
【補正方法】変更
【補正の内容】
【０００４】
このうち、後者のポップアップストロボ方式は、撮影時以外はストロボ発光部をカメラ本体内に収納するため、カメラの携帯もし易くなることから多くのカメラで採用されている。そして、ポップアップストロボ方式のカメラには、撮影レンズ鏡筒が沈胴状態から撮影可能状態に移動する際の移動力を利用してストロボ発光部を移動させるタイプのものや、特開平７−２２５４１０号公報にて提案されているように、カメラ本体に取り付けられたスライドカバーにストロボ発光部を取り付け、カメラ使用時にスライドカバーをスライドさせて撮影レンズを露出させるとともにストロボ光軸を撮影レンズから遠ざけるタイプのもの等がある。


【手続補正３】
【補正対象書類名】明細書
【補正対象項目名】００１６
【補正方法】変更
【補正の内容】
【００１６】
図２において、１はカメラ本体、２は撮影レンズ、３はファインダー、４はオートフォーカスユニット、１０はストロボ発光部である。ストロボ発光部１０の内部には、周知の放電管、反射傘、光学部品等が組み込まれている。


【手続補正４】
【補正対象書類名】明細書
【補正対象項目名】００１７
【補正方法】変更
【補正の内容】
【００１７】
図２の状態では、ストロボ発光部１０の左半分はカメラ本体１の内部に収納されており、カメラの電源はＯＦＦになっている。一方、図３の状態では、ストロボ発光部１０の全体がカメラ本体１外に露出しており、カメラの電源もＯＮになっている。


【手続補正５】
【補正対象書類名】明細書
【補正対象項目名】００２４
【補正方法】変更
【補正の内容】
【００２４】
２１は第１レバー１９の上側に配設される第２レバーであり、軸２１ａがベース板１７に形成された穴１７ｂとカメラ本体１に形成された穴１ｂとに回転可能に嵌合して、カメラ本体１上に保持される。第１レバー１９における軸１９ａと出力部１９ｄとの間の位置には円弧状穴１９ｅが形成されており、第２レバー２１の軸２１ａはこの円弧状穴１９ｅを貫通して穴１ｂに嵌合している。第２レバー２１における軸２１ａと出力部２１ｃとの間の位置には円弧状穴２１ｄが形成されており、第１レバー１９の軸１９ａはこの円弧状穴２１ｄを貫通してベース板１７の穴１７ａに嵌合している。なお、各軸１９ａ，２１ａに対して各円弧状穴１９ｅ，２１ｄは充分な寸法的余裕を有しており、各レバー１９，２１の回動には支障がない。


【手続補正６】
【補正対象書類名】明細書
【補正対象項目名】００３１
【補正方法】変更
【補正の内容】
【００３１】
この間、一端部２０ａは他端部２０ｂに対して徐々に近づいていくためバネ力は徐々に増していき、操作ツマミ１８とストロボ発光部１０がそれぞれの移動ストロークのほぼ中央あたりに達した時点（第１レバー１９の軸１９ａとトグルスプリング２０の両端部２０ａ，２０ｂとが一直線に並ぶ時点）でバネ力が最大となるが、このときは第１レバー１９への回転付勢力は働かない。


【手続補正７】
【補正対象書類名】明細書
【補正対象項目名】００３４
【補正方法】変更
【補正の内容】
【００３４】
なお、ストロボ発光部１０が突出位置に達する直前、例えば２ｍｍ程度手前において、図１に示すストロボ位置検出スイッチ５がストロボ発光部１０の引っかけ部１０ｃに押されてＯＮになり、カメラ本体１に内蔵されたカメラ制御回路（図示せず）によってストロボ発光部１０が発光可能と判定される。カメラ制御回路は、ストロボ発光部１０の発光可能と判定すると、ストロボ充電回路に充電開始信号を与える。ストロボ充電が完了すると、ストロボ充電回路は充電完了信号をカメラ制御回路に出力し、カメラは撮影スタンバイ状態になる。


【手続補正８】
【補正対象書類名】明細書
【補正対象項目名】００３６
【補正方法】変更
【補正の内容】
【００３６】
収納する動作は上記の電源ＯＮ状態への動作とは全く逆方向への動作をすればよく、カメラ使用者が操作ツマミ１８を図８に示す位置から左方向へ移動させていくと、これに連動して第１レバー１９がトグルスプリング２０を徐々に圧縮しながら反時計回り方向に回動し始める。これにより、第２レバー２１もこれに連動して反時計回り方向に回動し始め、ストロボ発光部１０もこれに連動してガイドバー１３に沿って左方向に移動し始める。そして、操作ツマミ１８のスライドにより、電源スイッチ接片６もスイッチパターン回路基板７上を摺動し、カメラの電源がＯＦＦになる。


【手続補正９】
【補正対象書類名】明細書
【補正対象項目名】００３９
【補正方法】変更
【補正の内容】
【００３９】
以上、ストロボ駆動機構の動作の概略を説明したが、ここで第１レバー１９と第２レバー２１についてさらに詳しく説明する。図７および図８に示すように、第１レバー１９と第２レバー２１とは互いにほぼ同じレバー長を有して、カメラ本体１の前後方向に延びている。第１レバー１９と第２レバー２１のレバー比（入力端から軸までの距離と軸から出力端までの距離との比）はそれぞれ、第１レバー１９でほぼ１：１、第２レバー２１でほぼ１：２となっており、第２レバー２１の軸２１ａは第１レバー１９の軸１９ａよりも第１レバー１９の出力端１９ｄに近い位置に設定されている。このため、ストロボ発光部１０の移動量は操作ツマミ１８の移動量に対して約２倍になる。


【手続補正１０】
【補正対象書類名】明細書
【補正対象項目名】００４３
【補正方法】変更
【補正の内容】
【００４３】
本実施形態では、第１レバー１９′の出力端１９ｄ′と第２レバー２１′の入力端２１ｂ′とを、第２レバー２１′の軸２１ａ′回りに取り付けたトーションスプリング（弾性部材）３０を介して係合させるようにした点で第１実施形態と異なる。


【手続補正１１】
【補正対象書類名】明細書
【補正対象項目名】００４４
【補正方法】変更
【補正の内容】
【００４４】
第１レバー１９´の出力端１９ｄ´および第２レバー２１´の入力端２１ｂ´はいずれもトーションスプリング３０のバネ端３０ａ，３０ｂの間に配設されている。


【手続補正１２】
【補正対象書類名】明細書
【補正対象項目名】００４９
【補正方法】変更
【補正の内容】
【００４９】
そして、外力Ｆがなくなれば、トーションスプリング３０の復元力によって第２レバー２１´が元の位置に回動し、ストロボ発光部１０も元の位置に戻ることができる。このように、本実施形態では、カメラ使用者の意図しない外力Ｆが加わったとしても、この外力Ｆによって操作ツマミ１８が動かされることがなく、外力Ｆがなくなればストロボ発光部１０は元の位置に戻るため、不用意に電源がＯＮになったりストロボ撮影が妨げられたりすることがなく、より操作性のよいカメラを実現することができる。


【手続補正１３】
【補正対象書類名】図面
【補正対象項目名】図１
【補正方法】変更
【補正の内容】
【図１】
1998288807.tif 000001
【手続補正１４】
【補正対象書類名】図面
【補正対象項目名】図４
【補正方法】変更
【補正の内容】
【図４】
1998288807.tif 000002
【手続補正１５】
【補正対象書類名】図面
【補正対象項目名】図６
【補正方法】変更
【補正の内容】
【図６】
1998288807.tif 000003
【手続補正１６】
【補正対象書類名】図面
【補正対象項目名】図７
【補正方法】変更
【補正の内容】
【図７】
1998288807.tif 000004
【手続補正１７】
【補正対象書類名】図面
【補正対象項目名】図８
【補正方法】変更
【補正の内容】
【図８】
1998288807.tif 000005
【手続補正１８】
【補正対象書類名】図面
【補正対象項目名】図１０
【補正方法】変更
【補正の内容】
【図１０】
1998288807.tif 000006
【手続補正１９】
【補正対象書類名】図面
【補正対象項目名】図１１
【補正方法】変更
【補正の内容】
【図１１】
1998288807.tif 000007
【手続補正２０】
【補正対象書類名】図面
【補正対象項目名】図１２
【補正方法】変更
【補正の内容】
【図１２】
1998288807.tif 000008